(57)【要約】【課題】タイルを有する蓋部材を備える点検口を備え、点検口における蓋部材を支持する耐久性を確保できると共に、点検口における蓋部材の開閉操作が容易な床構造体を提供すること。【解決手段】床構造体１は、複数の床用タイル１１に周囲を囲まれて形成される開口部２００に配置される下地部材３０と、開口部２００を開閉可能に下地部材３０の上部に配置される蓋部材４０と、を有する点検口２０と、を備え、下地部材３０は、複数の大引４の一部である一対の大引側部分３１と、複数の根太５の一部である一対の根太側部分３２と、一対の大引側部分３１に着脱可能に架設された補強部材３３と、を有して構成され、蓋部材４０は、蓋用タイル４１と、蓋用タイル４１に接続される取手部４２と、を有し、取手部４２は、蓋用タイル４１の端部の側方に収容される収容位置と、蓋用タイル４１の上面から突出する突出位置と、に移動可能である。【選択図】図４
2019148078.tif 000002
【特許請求の範囲】
【請求項１】
地面に配設された基台と、
前記基台に立設された複数の柱と、
前記複数の柱に架設された複数の大引と、
前記複数の大引に架設された複数の根太と、
前記根太の上に敷設された複数の床用タイルと、
前記複数の床用タイルに周囲を囲まれて形成される開口部に配置される下地部材と、前記開口部を開閉可能に前記下地部材の上部に配置される蓋部材と、を有する点検口と、を備え、
前記下地部材は、前記複数の大引の一部である一対の大引側部分と、前記複数の根太の一部である一対の根太側部分と、前記一対の大引側部分に着脱可能に架設された補強部材と、を有して構成され、
前記蓋部材は、蓋用タイルと、前記蓋用タイルに接続される取手部と、を有し、
前記取手部は、前記蓋用タイルの端部の側方に収容される収容位置と、前記蓋用タイルの上面から突出する突出位置と、に移動可能である床構造体。
【請求項２】
前記取手部は、前記収容位置に配置された場合において前記蓋用タイルの第１側辺部に沿って延びて配置される取手本体と、前記取手本体の両端部から前記蓋用タイルにおける前記第１側辺部に直交する一対の第２側辺部まで延びて形成され前記第２側辺部に回動可能に接続される一対の腕部と、を有する請求項１に記載の床構造体。
【請求項３】
前記蓋部材は、前記取手部が突出位置に位置する場合において、前記取手部を前記蓋用タイルの上面に対して所定角度で係止する係止部を有する請求項１又は２に記載の床構造体。
【発明の詳細な説明】
【技術分野】
【０００１】
本発明は、点検口を備えた床構造体に関する。
【背景技術】
【０００２】
従来、地面にコンクリート等を用いて土台を立設し、土台にモルタルを塗り、複数のタイルを貼り付けて施工された、いわゆる湿式工法の床構造体が知られている（例えば、特許文献１参照）。タイルは、意匠面や強度面等に利点があるが、タイルの重量が樹脂製のデッキ材に比べて重いことなどから取り扱い難いため、施工作業が煩雑となる場合がある。
また、樹脂製のデッキ材を備えた床構造体の床部に、蓋部材を有する点検口を備えたものが知られている（例えば、特許文献２参照）。
【先行技術文献】
【特許文献】
【０００３】
【特許文献１】特開２００４−２３２３２７号公報
【特許文献２】特開２０１４−１２５７４５号公報
【発明の概要】
【発明が解決しようとする課題】
【０００４】
タイルを有する床構造体の床部に、蓋部材を有する点検口を設ける場合には、蓋部材にタイルを用いることがある。蓋部材にタイルを用いる場合には、タイルの重量が樹脂製のデッキ材に比べて重いことなどから取り扱い難いため、点検口における蓋部材の開閉操作が困難であった。そのため、蓋部材の開閉操作が容易な床構造体の点検口が望まれる。また、蓋部材にタイルを用いる場合には、点検口において、蓋部材を支持する耐久性を確保できること望まれる。
【０００５】
本発明は、タイルを有する蓋部材を備える点検口を備え、点検口における蓋部材を支持する耐久性を確保できると共に、点検口における蓋部材の開閉操作が容易な床構造体を提供することを目的とする。
【課題を解決するための手段】
【０００６】
本発明は、地面に配設された基台（例えば、後述の基台２）と、前記基台に立設された複数の柱（例えば、後述の束柱３）と、前記複数の柱に架設された複数の大引（例えば、後述の大引４）と、前記複数の大引に架設された複数の根太（例えば、後述の根太５）と、前記根太の上に敷設された複数の床用タイル（例えば、後述のタイル１１）と、前記複数の床用タイルに周囲を囲まれて形成される開口部（例えば、後述の開口部２００）に配置される下地部材（例えば、後述の下地部材３０）と、前記開口部を開閉可能に前記下地部材の上部に配置される蓋部材（例えば、後述の蓋部材４０）と、を有する点検口（例えば、後述の点検口２０）と、を備え、前記下地部材は、前記複数の大引の一部である一対の大引側部分（例えば、後述の大引側支持部分３１）と、前記複数の根太の一部である一対の根太側部分（例えば、後述の根太側支持部分３２）と、前記一対の大引側部分に着脱可能に架設された補強部材（例えば、後述の補強部材３３）と、を有して構成され、前記蓋部材は、蓋用タイル（例えば、後述のタイル４１）と、前記蓋用タイルに接続される取手部（例えば、後述の取手部４２）と、を有し、前記取手部は、前記蓋用タイルの端部の側方に収容される収容位置と、前記蓋用タイルの上面から突出する突出位置と、に移動可能である床構造体（例えば、後述の床構造体１）に関する。
【０００７】
また、前記取手部は、前記収容位置に配置された場合において前記蓋用タイルの第１側辺部（例えば、後述の短辺４１ａ）に沿って延びて配置される取手本体（例えば、後述の取手本体４２１）と、前記取手本体の両端部から前記蓋用タイルにおける前記第１側辺部に直交する一対の第２側辺部（例えば、後述の長辺４１ｂ）まで延びて形成され前記第２側辺部に回動可能に接続される一対の腕部（例えば、後述の腕部４２２）と、を有することが好ましい。
【０００８】
また、前記蓋部材は、前記取手部が突出位置に位置する場合において、前記取手部を前記蓋用タイルの上面に対して所定角度で係止する係止部（例えば、後述の係止部４４）を有することが好ましい。
【発明の効果】
【０００９】
本発明によれば、タイルを有する蓋部材を備える点検口を備え、点検口における蓋部材を支持する耐久性を確保できると共に、点検口における蓋部材の開閉操作が容易な床構造体を提供することができる。
【図面の簡単な説明】
【００１０】
【図１】本実施形態に係る床構造体を示す斜視図である。
【図２】床構造体の内部構造を示す斜視図である。
【図３】本実施形態に係る点検口の閉状態を示す斜視図である。
【図４】本実施形態に係る点検口の開状態を示す斜視図である。
【図５】点検口から蓋部材及び補強部材を取り外した状態を示す斜視図である。
【図６】点検口の蓋部材において、取手部が収容位置に配置された場合を示す斜視図である。
【図７】点検口の蓋部材において、取手部が突出位置に配置された場合を示す斜視図である。
【図８】取手部の移動範囲を示す部分拡大図である。
【発明を実施するための形態】
【００１１】
本発明の一実施形態に係る床構造体１について説明する。図１は、本実施形態に係る床構造体１を示す斜視図である。図２は、床構造体１の内部構造を示す斜視図である。図３は、本実施形態に係る点検口２０の閉状態を示す斜視図である。図４は、本実施形態に係る点検口２０の開状態を示す斜視図である。図５は、点検口２０から蓋部材４０及び補強部材３３を取り外した状態を示す斜視図である。図６は、点検口２０の蓋部材４０において、取手部４２が収容位置に配置された場合を示す斜視図である。図７は、点検口２０の蓋部材４０において、取手部４２が突出位置に配置された場合を示す斜視図である。図８は、取手部４２の移動範囲を示す部分拡大図である。
【００１２】
本発明の一実施形態に係る床構造体１は、図１に示すように、建物１００の近傍（例えば、庭）に乾式工法で施工されたデッキである。床構造体１は、複数のタイル１１で床面が形成され、複数のタイル１１に囲まれた部分に配置された点検口２０を備える。床構造体１は、一辺が建物１００の壁面と接する矩形形状に形成される。床構造体１の縁部には、段差１５が形成される。本実施形態においては、段差１５は、２段の段差で構成され、１段目段部１６と、２段目段部１７と、を備える。
【００１３】
図２に示すように、床構造体１は、複数の基台２と、複数の柱としての束柱３と、複数の大引４と、複数の根太５と、複数の補助根太６と、幕板部９と、床部１０と、を備える。束柱３、大引４、根太５、補助根太６及び幕板部９は、いずれもアルミニウム形材からなる。
【００１４】
複数の基台２は、図２に示すように、地面に配設されている。複数の束柱３は、基台２に立設されている。
【００１５】
複数の大引４は、複数の束柱３に架設されている。大引４は、例えば、中空部を有する略角柱形状の長尺部材で構成される。複数の大引４は、建物１００の壁面に沿うように建物１００に対して平行に所定間隔で配置され、複数の束柱３に架設される。大引４の下部には、両側面から水平方向に突出する一対の突出部４ａが形成されている。突出部４ａの上面には、複数の根太５及び複数の補助根太６が架設されている。
【００１６】
複数の根太５は、複数の大引４のうち、隣り合う大引４同士に架設される。根太５は、例えば、中空を有する略角柱形状の長尺部材で構成される。複数の根太５は、建物１００の壁面が延びる水平方向に対して直交する方向に平行に所定間隔で配置され、複数の大引４に架設される。根太５は、大引４の突出部４ａの上面に載置された状態で、根太５の下部が、大引４に固定される。
【００１７】
複数の補助根太６は、複数の根太５のうち、隣り合う根太５同士の間に並んで配置され、隣り合う大引４同士に架設されて、隣り合う大引４同士を繋ぐように建物１００の壁面が延びる水平方向に対して直交する方向に平行に延びる。補助根太６は、例えば、根太５の幅よりも小さい幅で形成され、中空を有する略角柱形状の長尺部材で構成される。補助根太６は、大引４の突出部４ａの上面に載置された状態で、補助根太６の下部が、大引４に固定される。
【００１８】
幕板部９は、床部１０の外縁の側部を覆うように配置される。本実施形態においては、幕板部９は、段差１５における１段目段部１６及び２段目段部１７の両方において、側部を覆うように配置される。
【００１９】
床部１０は、図１に示すように、複数のタイル１１（床用タイル）と、複数の目地材１２と、点検口２０と、を備える。
【００２０】
複数のタイル１１は、それぞれ、例えば、平面視で正方形形状に形成され、所定の厚さを有する。本実施形態においては、図２に示すように、タイル１１は、四辺の縁部が大引４の上面及び根太５の上面によって支持されており、大引４、根太５及び補助根太６の上に敷設される。
【００２１】
複数の目地材１２は、図１に示すように、厚さがタイル１１の厚さよりも小さく形成され、長手方向がタイル１１の縁部に沿うように、タイル１１同士の間の位置に配置される。
【００２２】
点検口２０は、図３及び図４に示すように、床部１０の上面において、タイル１１を設けずに複数のタイル１１に周囲を囲まれて形成される開口部２００（図４参照）に配置される。
【００２３】
点検口２０は、図３及び図４に示すように、下地部材３０と、２つの蓋部材４０と、を有する。下地部材３０は、複数のタイル１１に周囲を囲まれて形成される開口部２００において、タイル１１の位置よりも下方の位置に配置される。２つの蓋部材４０は、建物１００の壁面の水平方向に沿う第２方向Ｄ２に直交する第１方向Ｄ１に並んで配置される。なお、本実施形態の説明においては、図２〜図８において、建物１００の壁面が延びる水平方向に対して直交する方向を第１方向Ｄ１ともいい、建物１００の壁面が延びる水平方向を第２方向Ｄ２ともいう。
【００２４】
下地部材３０は、図４に示すように、複数の大引４のうちの一対の大引側支持部分３１（大引側部分）と、複数の根太５のうちの一対の根太側支持部分３２（根太側部分）と、３本の補強部材３３と、を有して構成される。
一対の大引側支持部分３１及び一対の根太側支持部分３２は、開口部２００の外周縁に沿って配置される。
【００２５】
一対の大引側支持部分３１は、複数の大引４のうちの開口部２００に配置された一対の大引４の一部により構成される。一対の大引側支持部分３１は、第１方向Ｄ１に離間して互いが平行に配置され、第２方向Ｄ２に延びる。
【００２６】
一対の大引側支持部分３１は、蓋部材４０の長辺を支持する。一対の大引側支持部分３１の下部の側面には、開口部２００の水平方向の内側に突出する一対の突出部３１１が形成されている。突出部３１１は、大引４の突出部４ａの一部により構成される。一対の突出部３１１同士の上面には、３本の補強部材３３（後述）が架設されている。
【００２７】
大引側支持部分３１の上面には、複数のクッション材３１ａが貼り付けられている。クッション材３１ａは、蓋部材４０が一対の大引側支持部分３１に配置された場合に、蓋部材４０のガタツキを吸収する緩衝材として機能する。
【００２８】
一対の根太側支持部分３２は、複数の根太５のうちの開口部２００に配置された一対の根太５の一部により構成される。一対の根太側支持部分３２は、第２方向Ｄ２に離間して互いが平行に配置され、第１方向Ｄ１に延びる。
【００２９】
一対の根太側支持部分３２は、蓋部材４０の一対の短辺を支持する。根太側支持部分３２の上面には、長手方向の中央に、クッション材３２ａが貼り付けられている。クッション材３２ａは、蓋部材４０が一対の根太側支持部分３２に配置された場合に、蓋部材４０のガタツキを吸収する緩衝材として機能する。
【００３０】
３本の補強部材３３は、図４及び図５に示すように、一対の大引側支持部分３１の突出部３１１同士の上面に着脱可能に架設されている。３本の補強部材３３は、一対の大引側支持部分３１同士を繋ぐように第１方向Ｄ１（建物１００の壁面が延びる水平方向に対して直交する方向）に延びて形成され、一対の根太側支持部分３２の間において第２方向Ｄ２に並んで平行に配置される。補強部材３３は、例えば、中空を有する略角柱形状の長尺部材で構成される。補強部材３３の上面には、複数のクッション材３３ａが貼り付けられている。クッション材３３ａは、蓋部材４０が配置された場合に、蓋部材４０のガタツキを吸収する緩衝材として機能する。
【００３１】
３本の補強部材３３は、図５に示すように、一対の大引側支持部分３１の突出部３１１に配置された場合に、位置決め部材３１１ａにより、第２方向Ｄ２の位置が位置決めされている。位置決め部材３１１ａは、大引側支持部分３１の突出部３１１の上面に取り付けられている。
【００３２】
位置決め部材３１１ａは、大引側支持部分３１の突出部３１１の上面において、一対の根太側支持部分３２の間に３本の補強部材３３を位置決めして配置するように、大引側支持部分３１の長手方向に沿ってほぼ等間隔に３組設けられる。位置決め部材３１１ａの２つの規制片３１１ｂは、補強部材３３の長手方向の端部を幅方向に挟んで配置される。本実施形態においては、２つの規制片３１１ｂを１組の位置決め部材３１１ａとした場合に、例えば、位置決め部材３１１ａは、一対の大引側支持部分３１それぞれの突出部３１１の上面に、３組ずつ設けられている。
【００３３】
２つの蓋部材４０は、図３及び図４に示すように、平面視で、長方形状に形成され、２つの蓋部材４０が第２方向Ｄ２に並んで配置されることで、全体として、開口部２００を塞ぐ大きさの正方形形状に形成される。２つの蓋部材４０は、下地部材３０の上部に、第１方向Ｄ１に並んで配置される。
【００３４】
２つの蓋部材４０は、図４に示すように、タイル１１に周囲を囲まれた開口部２００を開閉可能に下地部材３０の上部に配置される。蓋部材４０は、タイル４１（蓋用タイル）と、タイル４１に接続される一対の取手部４２と、一対の目地材４３と、を有する。
【００３５】
なお、２つの蓋部材４０は、いずれも同様の構成である。そのため、２つの蓋部材４０それぞれを、いずれも蓋部材４０として説明する。また、蓋部材４０は、第１方向Ｄ１及び第２方向Ｄ２のいずれにおいても中心線に対して対称形状である。そのため、蓋部材４０の第２方向Ｄ２の両端部に配置される取手部４２や、蓋部材４０の第１方向Ｄ１の両端部に配置される目地材４３は、配置される向きが異なるだけで、いずれも同様の構成である。
【００３６】
タイル４１は、図６及び図７に示すように、平面視で長方形状に形成され、厚みを有する。タイル４１は、第１方向Ｄ１に沿って配置される一対の短辺４１ａ（第１側辺部）と、第２方向Ｄ２に沿って配置される一対の長辺４１ｂ（第２側辺部）と、により囲まれて、長方形状に形成される。短辺４１ａは、タイル４１における第２方向Ｄ２の両端部それぞれに形成され、第１方向Ｄ１に延びる辺である。長辺４１ｂは、タイル４１における第１方向Ｄ１の両端部それぞれに形成され、第２方向Ｄ２に延びる辺である。タイル４１の表面には、例えば、床部１０のタイル１１の表面と同様のデザインが施されている。
【００３７】
一対の取手部４２は、タイル４１の第２方向Ｄ２の両端部に配置される。一対の取手部４２は、それぞれ、取手本体４２１と、一対の腕部４２２と、を有する。
取手部４２は、タイル４１の短辺４１ａ側において取手本体４２１が、タイル４１の第２方向Ｄ２の端部の側方に収容される収容位置（図６参照）と、タイル４１の上面から突出する突出位置（図７参照）と、に回動可能（移動可能）に取り付けられる。取手部４２の収容位置は、タイル４１の上面から突出せずに、取手本体４２１が、タイル４１の短辺４１ａ側の側面に沿って配置された位置である。
【００３８】
取手本体４２１は、取手部４２が収容位置に配置された場合に、タイル４１の短辺４１ａの側方において、タイル４１の短辺４１ａに沿って延びる。取手本体４２１は、取手部４２が収容位置に配置された場合に、蓋部材４０のタイル４１と床部１０のタイル１１との間の目地材として機能する。
【００３９】
取手本体４２１は、中空状の形材４２１ａと、手掛かり突起４２１ｂと、を有する。
【００４０】
中空状の形材４２１ａは、長尺の筒体により形成され、強度を有した把持部として構成される。中空状の形材４２１ａを把持して持ち上げることで、取手部４２に接続された蓋部材４０を持ち上げることができる。
【００４１】
手掛かり突起４２１ｂは、図８に示すように、取手部４２が収容位置に位置する場合における取手本体４２１の上面側において、タイル４１と反対側（蓋部材４０の外側）の側方に突出する。本実施形態では、手掛かり突起４２１ｂは、取手部４２の収容位置側に隣接する床部１０のタイル１１側の側方に突出する。手掛かり突起４２１ｂは、隣接する床部１０のタイル１１の側部に固定される目地材１２との間に隙間Ｓが形成されるように突出する。隙間Ｓは、取手部４２が収容位置に配置された場合に、取手部４２の取手本体４２１の外側の側方に形成される。
【００４２】
手掛かり突起４２１ｂには、取手部４２の外側の側方の隙間Ｓに指を挿入することで、指を引っ掛けることができる。これにより、隙間Ｓに指を挿入して、手掛かり突起４２１ｂに指を引っ掛けて、取手本体４２１を上方側に回動させることで、取手部４２を突出位置に移動させることができる。
【００４３】
一対の腕部４２２は、図６及び図７に示すように、それぞれ、取手本体４２１の両端部それぞれからタイル４１の長辺４１ｂまで延びて形成される。一対の腕部４２２は、それぞれ、一端が、取手本体４２１に接続され、他端が、タイル４１の長辺４１ｂの端部よりも内側の位置においてタイル４１の長辺４１ｂに回動可能に接続される。
【００４４】
以上のように構成される取手部４２は、腕部４２２の他端を中心にタイル４１に対して回動可能に構成されることで、収容位置（図６参照）と突出位置（図７参照）とに移動される。
【００４５】
一対の目地材４３は、タイル４１の第１方向Ｄ１の両端部に配置される。一対の目地材４３は、それぞれ、図６及び図７に示すように、蓋部材４０のタイル４１の長辺４１ｂに沿って第２方向Ｄ２に延びると共に、タイル４１の長辺４１ｂに固定される。目地材４３は、蓋部材４０のタイル４１と床部１０の床用タイル１１との間に配置される。目地材４３は、断面形状がタイル１１の側方の外側に開放する略Ｃ字形状に形成される。
【００４６】
目地材４３の長手方向の端部４３１の端面は、図８に示すように、蓋用タイル４１の上面に対して直交して上下方向に延びる面状に形成される。目地材４３の端部４３１には、クッション部材４３２が取り付けられている。
【００４７】
クッション部材４３２は、略直方体形状に形成され、一方側の端部が目地材４３の端面から目地材４３の内部に挿入され、他方側の端部が目地材４３の端部から外側に突出して配置される。クッション部材４３２は、ネジ４３ａにより、目地材４３の長手方向の端部と共締めされて、タイル４１の長辺４１ｂの側面に固定される。クッション部材４３２は、例えば、ゴム材料で形成され、クッション性を有し、取手部４２が突出位置に回動された場合に、取手部４２の腕部４２２が当接して、目地材４３の端部を保護する。
【００４８】
本実施形態では、目地材４３の第２方向Ｄ２の端部４３１及びクッション部材４３２は、取手部４２が突出位置に回動された場合に、取手部４２の回動を規制するように、取手部４２の腕部４２２を係止する係止部４４を構成する。係止部４４は、目地材４３の長手方向（第２方向Ｄ２）の両方の端部４３１に設けられる。係止部４４は、取手部４２が突出位置に位置する場合において、蓋用タイル４１の上面に対して取手部４２を所定角度で係止する。
【００４９】
本実施形態においては、係止部４４は、取手部４２における腕部４２２を、クッション部材４３２がない場合における目地材４３の端部４３１の端面に当接する角度α１からクッション部材４３２の端面に当接する角度α２までの間の範囲で係止する。角度α１、α２は、腕部４２２が係止部４４で係止された状態において、取手部４２が収容位置から突出位置に移動する場合における腕部４２２の進行方向側に形成される腕部４２２の表面と腕部４２２の進行側に形成されるタイル４１の上面との成す角度である。角度α１、α２は、取手本体４２１を掴み易い程度に腕部４２２が立ち上がる角度であって、腕部４２２が収容位置側に倒れ難く、かつ、取手部４２の収容位置と反対側のタイル４１側に倒れない角度であることが好ましい。例えば、角度α１、α２は、７５°〜９０°程度の角度で構成される。
【００５０】
以上のように構成される点検口２０において、下地部材３０は、一対の大引側支持部分３１と、一対の根太側支持部分３２と、により、開口部２００において、タイル４１の外周縁を支持する部分を構成し、３本の補強部材３３は、一対の大引側支持部分３１の突出部３１１に架設されることで、タイル４１の内側の部分を下方から支持する部分を構成する。そのため、下地部材３０の耐久性が確保される。よって、このように構成される下地部材３０は、耐久性を確保した状態で、タイル４１を有する蓋部材４０を支持できる。
【００５１】
また、床構造体１の点検口２０において、蓋部材４０が開口部２００を閉鎖する閉状態から、蓋部材４０を取り外して、開口部２００を開放する開状態とする場合には、図８に示すように、蓋部材４０における第２方向Ｄ２の両端部側において、取手部４２の外側の側方の隙間Ｓに指を挿入して、手掛かり突起４２１ｂに指を引っ掛けて、取手本体４２１を上方側に回動しながら移動させる。これにより、取手部４２を突出位置に回動させる。
【００５２】
この状態で、蓋部材４０における第２方向Ｄ２の両端部側において、取手本体４２１の中空状の形材４２１ａを把持して、蓋部材４０を持ち上げて、蓋部材４０を上方側に移動させる。このようにして、蓋部材４０を点検口２０から取り外すことができる。そして、下地部材３０から、図５に示すように、３本の補強部材３３を取り外す。これにより、開口部２００を開放させることができる。点検口２０において、下地部材３０から補強部材３３を着脱することで、開放された開口部２００を介して、床部１０の内部を容易に点検することができる。
【００５３】
続けて、床部１０の内部を点検した後、開口部２００を塞ぐ場合には、３本の補強部材３３を一対の大引側支持部分３１の突出部３１１同士に架設した後に、蓋部材４０を下地部材３０の上に配置する。これにより、蓋部材４０により、開口部２００を塞ぐことができる。このようにして、点検口２０の開口部２００を容易に開閉することができる。
【００５４】
以上説明した本実施形態の床構造体１によれば、以下のような効果を奏する。
本実施形態の床構造体１は、複数のタイル１１に周囲を囲まれて形成される開口部２００に配置される下地部材３０と、開口部２００を開閉可能に下地部材３０の上部に配置される蓋部材４０と、を有する点検口２０と、を備え、下地部材３０は、複数の大引４の一部である一対の大引側支持部分３１と、複数の根太５の一部である一対の根太側支持部分３２と、一対の大引側支持部分３１に着脱可能に架設された補強部材３３と、を有して構成され、蓋部材４０は、タイル４１と、蓋用タイル４１に接続される取手部４２と、を有し、取手部４２は、タイル４１の端部の側方に収容される収容位置と、タイル４１の上面から突出する突出位置と、に移動可能である。
【００５５】
そのため、下地部材３０は、大引側支持部分３１、根太側支持部分３２及び補強部材３３を有して構成される。これにより、下地部材３０は、蓋部材４０を支持する耐久性を確保できる。
また、下地部材３０において補強部材３３が着脱可能であるため、下地部材３０から補強部材３３を取り外すことで、開口部２００を介して、床部１０の内部を容易に点検することができる。
また、点検口２０において、タイル４１を有する蓋部材４０には取手部４２が設けられており、取手部４２が収容位置と突出位置とに移動可能である。そのため、取手部４２により、蓋部材４０を容易に持ち上げて、開口部２００を容易に開閉できる。
また、取手部４２を収容位置と突出位置とに移動可能であるため、取手部４２を使用しない場合に取手部４２を収容位置に収容することで、意匠性を向上できる。
また、取手部４２が収容位置に配置される場合に、取手部４２を蓋部材４０のタイル４１と床部１０のタイル１１との間の目地材として機能させることができる。これにより、取手部４２側に配置する目地材を取手部４２で代用できるため、部品点数を削減でき、コストを低減できる。
【００５６】
また、本実施形態では、取手部４２は、収容位置に配置された場合においてタイル４１の短辺４１ａに沿って延びて配置される取手本体４２１と、取手本体４２１の両端部からタイル４１における長辺４１ｂまで延びて形成され長辺４１ｂに回動可能に接続される一対の腕部４２２と、を有する。これにより、腕部４２２の端部を中心に回動して取手部４２を突出位置に移動させて、取手本体４２１を把持して持ち上げることで、蓋部材４０を容易に持ち上げることができる。よって、蓋部材４０を取り外す作業を容易に行うことができる。
【００５７】
また、本実施形態では、蓋部材４０は、取手部４２が突出位置に位置する場合において、取手部４２をタイル４１の上面に対して所定角度で係止する係止部４４を有する。これにより、取手部４２を突出位置において係止部４４により所定角度で係止することで、取手部４２がタイル４１の上面側に倒れることを抑制できる。これにより、取手部４２の取り扱いが容易になり、取手部４２により蓋部材４０を容易に持ち上げることができる。よって、蓋部材４０を取り外す作業を一層容易に行うことができる。
【００５８】
以上、本発明の床構造体１の好ましい一実施形態について説明したが、本発明は、上述した実施形態に制限されるものではなく、適宜変更が可能である。
【００５９】
例えば、前記実施形態では、補強部材３３を３本で構成したが、これに限定されず、補強部材３３を、１本、２本又は４本以上で構成してもよい。
また、前記実施形態では、蓋部材４０を２つで構成したが、これに限定されず、蓋部材４０を、１つ又は３つ以上で構成してよい。
【００６０】
また、前記実施形態では、係止部４４を、クッション部材４３２及び目地材４３の端部で構成したが、これに限定されない。係止部４４を、例えば、目地材４３の端部のみで構成してもよいし、突起などで構成してもよい。
【符号の説明】
【００６１】
１  床構造体
２  基台
３  束柱（柱）
４  大引
５  根太
１１  タイル（床用タイル）
２０  点検口
３０  下地部材
３１  大引側支持部分（大引側部分）
３２  根太側部分（根太側支持部分）
３３  補強部材
４０  蓋部材
４１  タイル（蓋用タイル）
４１ａ  短辺（第１側辺部）
４１ｂ  長辺（第２側辺部）
４２  取手部
４３  目地材
４４  係止部
２００  開口部
４２１  取手本体
４２２  腕部
【図１】
2019148078.tif 000003
【図２】
2019148078.tif 000004
【図３】
2019148078.tif 000005
【図４】
2019148078.tif 000006
【図５】
2019148078.tif 000007
【図６】
2019148078.tif 000008
【図７】
2019148078.tif 000009
【図８】
2019148078.tif 000010